(57)【要約】【課題】Ｄ−ｃｈとＣ−ｃｈとが別なネットワークでも同一トポロジでネットワークを形成し、正常性やシグナリングの処理を確実に行う。【解決手段】データ信号を転送するＤ−ｃｈネットワークと、制御信号を転送するＣ−ｃｈネットワークとを分離して構成し、Ｃ−ｃｈ間ネットワークのＤＣＮにＤ−ｃｈと同一の仮想トポロジを有し、仮想トポロジ内の仮想ルータで処理すべき信号はＤ−ｃｈ上の対応する実ルータに転送する。仮想トポロジ内の仮想ルータと、前記仮想ルータに該当する実ルータとの間で信号パケットを転送するＤＣＮ処理装置を備える。【選択図】　図１
2004015513.tif 000002
【特許請求の範囲】
【請求項１】
データ信号を転送するＤ−ｃｈネットワークと、制御信号を転送するＣ−ｃｈネットワークとを分離して構成し、
Ｃ−ｃｈ間ネットワークのＤＣＮ（Ｄａｔａ　Ｃｏｍｍｕｎｉｃａｔｉｏｎ　Ｎｅｔｗｏｒｋ）にＤ−ｃｈと同一の仮想トポロジを有し、仮想トポロジ内の仮想ルータで処理すべき信号はＤ−ｃｈ上の対応する実ルータに転送することを特徴とするフォトニックネットワーク。
【請求項２】
仮想トポロジ内の仮想ルータと、前記仮想ルータに該当する実ルータとの間でシグナリングパケットを転送するＤＣＮ処理装置を備えた請求項１記載のフォトニックネットワーク。
【請求項３】
前記ＤＣＮ処理装置には実ルータの実ＩＰアドレスを管理するテーブルを有し、実ルータへの転送時にシグナリングパケットに転送先の実ルータのＩＰアドレスをカプセリング化する請求項１記載のフォトニックネットワーク。
【請求項４】
Ｄ−ｃｈのフォトニックルータは、シグナリングパケットの場合はディスティネーションを入れたシグナリングパケットにＤＣＮ処理装置行きのＩＰアドレスをカプセリング化してＤＣＮへ転送する請求項１記載のフォトニックネットワーク。
【請求項５】
データ信号を転送するＤ−ｃｈネットワークと、制御信号を転送するＣ−ｃｈネットワークとが分離されて構成された請求項１ないし４のいずれかに記載のフォトニックネットワークに適用され、
Ｃ−ｃｈ間ネットワークに設置され、
Ｄ−ｃｈと同一の仮想トポロジを保持する手段と、
当該仮想トポロジ内に仮想ルータを設定する手段と、
当該仮想ルータで処理すべき信号をＤ−ｃｈ上の対応する実ルータに転送するために当該仮想ルータに該当する実ルータとの間でシグナリングパケットを転送する手段と
を備えたことを特徴とするＤＣＮ処理装置。
【請求項６】
実ルータの実ＩＰアドレスを管理するテーブルが設けられ、
前記パケットを転送する手段は、当該実ルータへの転送時に前記テーブルを参照しシグナリングパケットに転送先の実ルータのＩＰアドレスをカプセリング化する手段を備えた請求項５記載のＤＣＮ処理装置。
【発明の詳細な説明】
【０００１】
【発明の属する技術分野】
本発明は、データ信号を転送するＤ−ｃｈと、制御信号を転送するＣ−ｃｈとを含むフォトニックネットワークに利用する。特に、Ｄ−ｃｈとＣ−ｃｈとがそれぞれ異なるネットワークに設定されるフォトニックネットワークに関する。
【０００２】
【従来の技術】
階層構造を有するネットワークの例としてフォトニックネットワークを説明する。図７はフォトニックネットワークの構成図である。図７に示すようなフォトニックネットワークでは、光パスは自由なビットレートで１波を専有しているサービスであるため制御用ネットワークは独立なＤＣＮ（Ｄａｔａ　Ｃｏｍｍｕｎｉｃａｔｉｏｎ　Ｎｅｔｗｏｒｋ）を用いることが検討されている。ＤＣＮはいわゆるネットワークにおいても、フレキシビリティに富んだＤ−ｃｈとＣ−ｃｈの分離ネットワークを実現することができる。
【０００３】
従来のＲＳＶＰ（Ｒｅｓｏｕｒｃｅ　Ｒｅｓｅｒｖａｔｉｏｎ　Ｐｒｏｔｏｃｏｌ）などで用いられるシグナリング用のパケットのフォーマットを図８に示す。シグナリングでは宛先として最終目的地が書込まれ、図７の例ではノード＃３のＩＰアドレスをパケットに書込む。
【０００４】
【発明が解決しようとする課題】
従来の階層構造を有しないネットワークでは制御用チャネルＣ−ｃｈと、実際のデータを流すチャネルＤ−ｃｈとが同一であるため、パスの接続や切断を行うシグナリングパケットは必ずＤ−ｃｈと同一のルートを通り、各中継ルータはシグナリングであることを理解して、シグナリングパケットだけはドロップする。しかし、複数の階層を有するネットワークでは、データパケットとシグナリングパケットとが異なる階層を経由する可能性が生じ、各中継ルータはシグナリングを認識できない事態が発生する。
【０００５】
すなわち、従来のＤ−ｃｈとＣ−ｃｈとを分離していないネットワークでは自動的にＩＰフォワーディングにより中継ノードはデータパケットであってもシグナリングパケットであっても通過するが、図７のように分離ネットワークでは、シグナリングパケットがダイレクトに目的地へ着信してしまう。
【０００６】
例えば、パス設定であれば中継ノードは発ノードからのシグナリングパケットを中継することにより、自ノードが当該光パス設定に関与するノードであることを予め認識することができ、着ノードからの当該パス設定のためのリソース確保要求が到着したときには、予め認識した自ノードが関与するリソースの確保を実行することができるが、シグナリングパケットが発ノードから直接着ノードに到着してしまったのでは、途中の中継ノードでは、自ノードが光パス設定に関与することを認識できず、リソース確保が困難になるという問題がある。
【０００７】
本発明は、このような背景に行われたものであって、Ｄ−ｃｈとＣ−ｃｈとが別なネットワークでも同一トポロジでネットワークを形成でき、正常性やシグナリングの処理を確実に行うことができるフォトニックネットワークおよびＤＣＮ処理装置を提供することを目的とする。
【０００８】
【課題を解決するための手段】
本発明の第一の観点は、フォトニックネットワークであって、本発明の特徴とするところは、データ信号を転送するＤ−ｃｈネットワークと、制御信号を転送するＣ−ｃｈネットワークとを分離して構成し、Ｃ−ｃｈ間ネットワークのＤＣＮにＤ−ｃｈと同一の仮想トポロジを有し、仮想トポロジ内の仮想ルータで処理すべき信号はＤ−ｃｈ上の対応する実ルータに転送するところにある。
【０００９】
これにより、Ｄ−ｃｈとＣ−ｃｈとが別なネットワークでも同一トポロジでネットワークを形成でき、正常性やシグナリングの処理を確実に行うことができる。
【００１０】
仮想トポロジ内の仮想ルータと、前記仮想ルータに該当する実ルータとの間でシグナリングパケットを転送するＤＣＮ処理装置を備えることが望ましい。
【００１１】
前記ＤＣＮ処理装置には実ルータの実ＩＰアドレスを管理するテーブルを有し、実ルータへの転送時にシグナリングパケットに転送先の実ルータのＩＰアドレスをカプセリング化することが望ましい。
【００１２】
これにより、発ノードから送出されたシグナリングパケットには、着ノードのＩＰアドレスのみが書込まれていても、当該シグナリングパケットが仮想ルータを経由する度に、そのシグナリングパケットを当該仮想ルータに対応する実ルータのＩＰアドレスによりカプセル化して当該実ルータに転送することができる。
【００１３】
また、Ｄ−ｃｈのフォトニックルータは、シグナリングパケットの場合はディスティネーションを入れたシグナリングパケットにＤＣＮ処理装置行きのＩＰアドレスをカプセリング化してＤＣＮへ転送することもできる。
【００１４】
これによれば、ＤＣＮ処理装置へ行くシグナリングパケットと、それ以外のシグナリングパケットとをＤＣＮ内部で区分けする必要がなくなり、速やかな処理を期待することができる。
【００１５】
本発明の第二の観点は、ＤＣＮ処理装置であって、本発明の特徴とするところは、データ信号を転送するＤ−ｃｈネットワークと、制御信号を転送するＣ−ｃｈネットワークとが分離されて構成された本発明のフォトニックネットワークに適用され、Ｃ−ｃｈ間ネットワークに設置され、Ｄ−ｃｈと同一の仮想トポロジを保持する手段と、当該仮想トポロジ内に仮想ルータを設定する手段と、当該仮想ルータで処理すべき信号をＤ−ｃｈ上の対応する実ルータに転送するために当該仮想ルータに該当する実ルータとの間でシグナリングパケットを転送する手段とを備えたところにある。
【００１６】
さらに詳しくは、実ルータの実ＩＰアドレスを管理するテーブルが設けられ、前記パケットを転送する手段は、当該実ルータへの転送時に前記テーブルを参照しシグナリングパケットに転送先の実ルータのＩＰアドレスをカプセリング化する手段を備えることが望ましい。
【００１７】
【発明の実施の形態】
（第一実施例）
第一実施例のフォトニックネットワークを図１を参照して説明する。図１では＃１〜＃５はフォトニックネットワークの実ノードであり、実際の通信用パケットが転送されるネットワークである。
【００１８】
今、ノード＃１からノード＃５へノード＃２、＃４を中継してフォトニックパスを設定するときの例について説明する。シグナリングを行うＤＣＮネットワークは物理的なノード＃１〜＃５のネットワークとはまったく独立である。ＤＣＮネットワークには、ＤＣＮ処理装置であるサーバ装置があり、Ｄ−ｃｈの実ネットワークのトポロジを仮想的に持っている。
【００１９】
図２に本発明のＤＣＮ処理装置のソフトウェア処理のイメージを示す。シグナリングパケットは、コネクションセットアップ時に、中継ルータを順にパケットが転送するが、中継ルータに当たる仮想ルータのソフトウェアはシグナリングパケットが到着すると自ルータへのシグナリングであることを確認した場合に、対応している実ルータのＩＰアドレスを付けて、カプセリングして再度ＤＣＮへパケットを処理する。
【００２０】
パケットを受信した実ルータは宛先が自ルータであるので、パケットをＰＯＰ処理して、シグナリングの処理を行う。
【００２１】
図３にＤＣＮ処理装置の構成を詳細に示す。本実施例のＤＣＮ処理装置は、Ｃ−ｃｈ間ネットワークに設置され、Ｄ−ｃｈと同一の仮想トポロジを保持し、当該仮想トポロジ内に仮想ルータを設定する仮想ネットワークルーティング部１と、当該仮想ルータで処理すべき信号をＤ−ｃｈ上の対応する実ルータに転送するために当該仮想ルータに該当する実ルータとの間でシグナリングパケットを転送するネットワークアクセス部２とを備える。
【００２２】
さらに、実ルータの実ＩＰアドレスを管理する実ルータ情報テーブル３が設けられ、ネットワークアクセス部２は、当該実ルータへの転送時に実ルータ情報テーブル３を参照しシグナリングパケットに転送先の実ルータのＩＰアドレスをカプセリング化する。
【００２３】
このように、本実施例のＤＣＮ処理装置は、実ネットワークとまったく同様な仮想ネットワークを持ち、かつ仮想ルータに対応する実ルータのＩＰアドレスを管理している。ＤＣＮから入ってきたＲＳＶＰ等のシグナリングパケットはここでルートに当たる仮想ルータの実対応する実ルータアドレスを付与して再度ＤＣＮへ転送される。実ネットワークとのアクセスは、図４に示すように、転送されるＤＣＮはすべての入力パケットをＤＣＮ処理装置に転送するメカニズムである。
【００２４】
図５にシグナリングのイメージを示す。中継ノード＃１→＃２→＃４→＃５と順にシグナリングパケットが転送される。中継ノード＃１から＃５行きのパケットを送ったが、ＤＣＮで中継ノード＃２行きとしてカプセリング化されている。
【００２５】
（第二実施例）
第二実施例を図６を参照して説明する。実ルータのシグナリング処理部４にＤＣＮ処理装置行きのカプセリング部５を備えている。ここでシグナリングパケットはＤＣＮ処理装置のＩＰアドレスをカプセリング化され、ＤＣＮ処理装置へ強制的に転送される。これにより、ＤＣＮ内部でシグナリングパケットとデータパケットとを区分けする必要がなく、ＤＣＮにおける処理手順を減らすことができる。
【００２６】
【発明の効果】
以上説明したように、本発明によれば、Ｄ−ｃｈとＣ−ｃｈとが別なネットワークでも同一トポロジでネットワークを形成できるので、正常性やシグナリングの処理を確実に行うことができる。
【図面の簡単な説明】
【図１】本実施例のネットワーク構成を示す図。
【図２】本実施例のＤＣＮ処理装置のソフトウェア処理のイメージを示す図。
【図３】本実施例のＤＣＮ処理装置の構成図。
【図４】本実施例のＤＣＮ処理装置内の実ネットワークとのアクセス構成を示す図。
【図５】第一実施例によるシグナリングパケットの転送例を示す図。
【図６】第二実施例による実ルータでのＤＣＮ処理装置行きのカプセル化を示す図。
【図７】従来方式でのシグナリング用Ｃ−ｃｈの問題点を示す図。
【図８】通常のシグナリングパケットを示す図。
【符号の説明】
１　仮想ネットワークルーティング部
２　ネットワークアクセス部
３　実ルータ情報テーブル
４　シグナリング処理部
５　カプセリング部
【図１】
2004015513.tif 000003
【図２】
2004015513.tif 000004
【図３】
2004015513.tif 000005
【図４】
2004015513.tif 000006
【図５】
2004015513.tif 000007
【図６】
2004015513.tif 000008
【図７】
2004015513.tif 000009
【図８】
2004015513.tif 000010